(57)【特許請求の範囲】
【請求項１】
梁材と柱材とによって骨組みが形成される建物ユニットを上下左右に複数、隣接させて構成されるユニット建物において、建物ユニット間に形成される間取り調整用の隙間の外壁側の柱材の下部間に取り付けられる防水シートの取付金具であって、
前記隙間の幅と略同じ幅のウエブと、そのウエブの両側にそれぞれ略直交して前記隙間に面した前記柱材に接する位置に形成される２つのフランジとを有する本体部と、
前記ウエブの外壁側の面に設けられる防水シート受け部と、
前記ウエブの下端から略直交方向に前記隙間の内側に向けて延出される下フランジ部とを備え、
前記防水シート受け部は前記ウエブの外壁側の面の側縁に沿って鉛直方向に延伸される受板によって形成されるとともに、その受板と前記幅方向に間隔を置いて下地板が取り付けられ、前記受板と前記下地板とに跨って帯板が取り付けられることによって鉛直方向に貫通される通気孔が形成されることを特徴とする防水シートの取付金具。
【請求項２】
前記ウエブの外壁側の面の下部であって前記下フランジ部より高い位置に外壁方向に向けて突出される張出部が設けられることを特徴とする請求項１に記載の防水シートの取付金具。
【請求項３】
梁材と柱材とによって骨組みが形成される建物ユニットを上下左右に複数、隣接させて構成されるユニット建物において、建物ユニット間に形成される間取り調整用の隙間の外壁側の柱材の下部間に取り付けられる防水シートの取付金具であって、
前記隙間の幅と略同じ幅のウエブと、そのウエブの両側にそれぞれ略直交して形成される２つのフランジとを有する本体部と、
一方の前記フランジから上方に延出されて前記柱材に接する位置に形成される第１の接合面と前記ウエブから上方に延出される防水シート受け部とを有する長アングル部と、
他方の前記フランジから上方に延出されて前記柱材に接する位置に形成される第２の接合面と、
前記ウエブの下端から略直交方向に前記隙間の内側に向けて延出される下フランジ部とを備えたことを特徴とする防水シートの取付金具。
【請求項４】
梁材と柱材とによって骨組みが形成される建物ユニットを上下左右に複数、隣接させて構成されるユニット建物において、建物ユニット間に形成される間取り調整用の隙間の外壁側の柱材の下部間に取り付けられる防水シートの取付金具であって、前記隙間の幅と略同じ幅のウエブと、そのウエブの両側にそれぞれ略直交して前記隙間に面した前記柱材に接する位置に形成される２つのフランジとを有する本体部と、前記ウエブの外壁側の面に設けられる防水シート受け部と、前記ウエブの下端から略直交方向に前記隙間の内側に向けて延出される下フランジ部とを備えた防水シートの取付金具を、バルコニーに隣接する前記間取り調整用の隙間の前記柱材の下部間に前記フランジ又は接合面を介して取り付け、前記バルコニーから延出される防水シートを前記防水シート受け部に密着させるとともに、前記下フランジ部と下階の上面との間に防水材を介在させることを特徴とするユニット建物の防水構造。
【請求項５】
請求項１乃至３のいずれか一項に記載の防水シートの取付金具を、バルコニーに隣接する前記間取り調整用の隙間の前記柱材の下部間に前記フランジ又は接合面を介して取り付け、前記バルコニーから延出される防水シートを前記防水シート受け部に密着させるとともに、前記下フランジ部と下階の上面との間に防水材を介在させることを特徴とするユニット建物の防水構造。
【発明の詳細な説明】
【技術分野】
【０００１】
本発明は、複数の建物ユニットを上下左右に隣接させて構成されるユニット建物において、外壁の裏側に配置される防水シートの取付金具、及びそれを使ったユニット建物の防水構造に関するものである。
【背景技術】
【０００２】
従来、工場で製作された複数の建物ユニットを縦、横に積み重ねて構築するユニット建物が知られている。一般に、これらの建物ユニット間には、誤差吸収を目的とするものを除いて実質的な隙間を設けることなく近接させて連結をおこなっている。
【０００３】
これに対して、特許文献１−３などには、建物ユニット間に隙間を設けて連結させることによって、建物ユニットの倍数の制限を越えて建築面積を広げることができるユニット建物が開示されている。
【先行技術文献】
【特許文献】
【０００４】
【特許文献１】特開２００７−２４７３４３号公報
【特許文献２】特許第３７９６４９４号公報
【特許文献３】特開２００９−１７４２４７号公報
【発明の概要】
【発明が解決しようとする課題】
【０００５】
しかしながら、特許文献１−３に開示されているような間取り調整用の隙間に隣接する位置にバルコニーを設ける場合、隙間を設けずに構築されるユニット建物と同様の作業で防水シートを取り回すことができない。他方、防水シートの取り付けがしっかりとおこなわれていないと、バルコニー周辺の防水性能が低下して漏水の原因になる。
【０００６】
そこで、本発明は、間取り調整用の隙間が形成された箇所の防水性能を確保することが可能な防水シートの取付金具、及びそれを使ったユニット建物の防水構造を提供することを目的としている。
【課題を解決するための手段】
【０００７】
前記目的を達成するために、本発明の防水シートの取付金具は、梁材と柱材とによって骨組みが形成される建物ユニットを上下左右に複数、隣接させて構成されるユニット建物において、建物ユニット間に形成される間取り調整用の隙間の外壁側の柱材の下部間に取り付けられる防水シートの取付金具であって、前記隙間の幅と略同じ幅のウエブと、そのウエブの両側にそれぞれ略直交して前記隙間に面した前記柱材に接する位置に形成される２つのフランジとを有する本体部と、前記ウエブの外壁側の面に設けられる防水シート受け部と、前記ウエブの下端から略直交方向に前記隙間の内側に向けて延出される下フランジ部とを備えたことを特徴とする。
【０００８】
ここで、前記防水シート受け部は前記ウエブの外壁側の面の側縁に沿って鉛直方向に延伸される受板によって形成されるとともに、その受板と前記幅方向に間隔を置いて下地板が取り付けられ、前記受板と前記下地板とに跨って帯板が取り付けられることによって鉛直方向に貫通される通気孔が形成される構成とすることができる。また、前記ウエブの外壁側の面の下部であって前記下フランジ部より高い位置に外壁方向に向けて突出される張出部が設けられる構成であってもよい。
【０００９】
さらに、梁材と柱材とによって骨組みが形成される建物ユニットを上下左右に複数、隣接させて構成されるユニット建物において、建物ユニット間に形成される間取り調整用の隙間の外壁側の柱材の下部間に取り付けられる防水シートの取付金具であって、前記隙間の幅と略同じ幅のウエブと、そのウエブの両側にそれぞれ略直交して形成される２つのフランジとを有する本体部と、一方の前記フランジから上方に延出されて前記柱材に接する位置に形成される第１の接合面と前記ウエブから上方に延出される防水シート受け部とを有する長アングル部と、他方の前記フランジから上方に延出されて前記柱材に接する位置に形成される第２の接合面と、前記ウエブの下端から略直交方向に前記隙間の内側に向けて延出される下フランジ部とを備えたことを特徴とする。
【００１０】
また、本発明のユニット建物の防水構造は、上記した防水シートの取付金具を、バルコニーに隣接する前記間取り調整用の隙間の前記柱材の下部間に前記フランジ又は接合面を介して取り付け、前記バルコニーから延出される防水シートを前記防水シート受け部に密着させるとともに、前記下フランジ部と下階の上面との間に防水材を介在させることを特徴とする。
【発明の効果】
【００１１】
このように構成された本発明の防水シートの取付金具は、隙間の幅に合わせて形成された本体部と、本体部のウエブの外壁側の面に設けられる防水シート受け部と、ウエブの下端から延出される下フランジ部とを備えている。
【００１２】
このため、防水シート受け部に防水シートを密着させることで、隙間に面した柱間の防水性能を連続させることができる。また、下フランジ部によって下階の上面との間に防水材を介在させることができるので、下階との間の防水性能を確保することができる。
【００１３】
さらに、防水シートの裏側に通気孔が形成されるようにして、上階と下階との間で空気の流れが形成されるようにすれば、防水シートの裏面側を乾燥状態に保つことができるようになる。
【００１４】
また、防火ラインを形成する熱膨張材の上方に張出部が配置されるような構成にすれば、火災の熱によって熱膨張材が膨張しても、張出部によって過度な膨張が制限され、防火ライン位置での防火性能を確保することができる。
【００１５】
さらに、本体部と長アングル部とによって構成される取付金具であれば、安価に製作することができる。また、これらの取付金具をバルコニーに隣接する間取り調整用の隙間に取り付けることによって、バルコニー近傍の防水シートを容易に継ぐことができるようになり、隙間に面した柱間の防水性能を連続させることができる。
【図面の簡単な説明】
【００１６】
【図１】本発明の実施の形態の防水シートの取付金具の構成を説明する斜視図である。
【図２】取付金具の配置箇所を説明するための２階の平面図である。
【図３】取付金具の取り付け作業を説明する斜視図である。
【図４】間取り調整用の隙間に取付金具を固定した状態を示した正面図である。
【図５】取付金具の裏側の防水処理を説明する斜視図である。
【図６】取付金具の外壁側に配置される防水シートの取り回しを説明する斜視図である。
【図７】バルコニーと外壁下部とが交差する部分周辺の詳細を説明する断面図である。
【図８】図７のＡ−Ａ矢視方向で見た断面図である。
【図９】実施例の取付金具の配置箇所を説明するための２階の平面図である。
【図１０】実施例の取付金具の取り付け作業を説明する斜視図である。
【図１１】実施例の取付金具の取り付け位置周辺を外壁の裏側から見た斜視図である。
【発明を実施するための形態】
【００１７】
以下、本発明の実施の形態について図面を参照して説明する。図１は、本実施の形態の防水シートの取付金具１の構成を説明するための斜視図、図２は取付金具１の配置箇所を説明するための２階の平面図である。
【００１８】
まず、図２を参照しながらユニット建物２０の構成から説明すると、このようなユニット建物２０は、工場で製作される複数の建物ユニットを現場に搬送し、横方向に並べて１階部を構築するとともに、それらの下階２０２（図７参照）の上に別の建物ユニット２Ａ，２Ｂ，２Ｃなどを積み上げることで上階を構築していく。
【００１９】
このようにして上下左右に複数の建物ユニットを隣接配置して構築されるユニット建物２０において、間取り調整用の隙間２０１に隣接して配置される建物ユニット２Ａ，２Ｂ周辺を上から見た平面図が図２である。
【００２０】
この隙間２０１は、20−30ｃｍ程度の広さに形成され、通常、建物ユニットを左右に隣接させた場合に発生してしまう数ｍｍから十数ｍｍの隙間に比べて広い間隔になる。
【００２１】
ユニット建物２０を構成する建物ユニット（２Ａ−２Ｃ）は、四隅に配置される柱材としての柱２１，・・・と、その柱２１，・・・の下端間及び上端間に差し渡される梁材としての短辺梁２２及び長辺梁２３とによってボックス形のラーメン構造体（骨組構造体）に形成される。
【００２２】
例えば、柱２１は角形鋼管によって形成され、短辺梁２２及び長辺梁２３は断面視Ｃ字形の溝形鋼材によって形成されている。また、短辺梁２２又は長辺梁２３と柱２１とは、接合枠材２８を介して接合される。
【００２３】
さらに、ユニット建物２０には、図２に示すように、建物ユニット２Ｃの長辺梁２３からバルコニー２０３が張り出される。このバルコニー２０３は、短辺側が隙間２０１と建物ユニット２Ａの短辺梁２２に接するように設けられる。すなわち、このバルコニー２０３は、Ｌ字形に配置される建物ユニット２Ａ−２Ｃの入隅に設けられる。
【００２４】
また、隙間２０１及び建物ユニット２Ａとバルコニー２０３との間には、パネル状の外壁２４が配置される。この他のユニット建物２０の外周面も、外壁２４によって覆われる。
【００２５】
取付金具１は、図３に示すように、建物ユニット２Ａ，２Ｂ間の隙間２０１のバルコニー２０３に面した位置の柱２１，２１の下部間に取り付けられる。この取付金具１は、図１に示すように、ウエブ１１ａとその両側にそれぞれ略直交して形成される２つのフランジ１１ｂ，１１ｂとによって平面視略Ｃ字形に形成される本体部１１と、ウエブ１１ａの外壁側の面に設けられる防水シート受け部としての受板１２と、ウエブ１１ａの下端からフランジ１１ｂと同じく内側に向けて延出される下フランジ部１３とを主に備えている。
【００２６】
本体部１１は、図３，６に示すように、下階２０２の上面から防水シート２５Ａ，２５Ｂ，２５Ｃの上縁に至る高さの溝形鋼材などによって成形される。また、ウエブ１１ａの幅は、隙間２０１の幅と略同じになる。さらに、フランジ１１ｂ，１１ｂの外側面は、隙間２０１に面した柱２１，２１の側面に接することになる。
【００２７】
本体部１１の上半部のフランジ１１ｂには、柱２１との接合具となるドリルねじ１８を挿通させるためのねじ穴１１ｃ，・・・が複数、穿孔されている。また、フランジ１１ｂの下方には、図１，５に示すように、後述する防水材１６を固定するための取付片１６ａが残されている。
【００２８】
また、受板１２は、図６に示すように、バルコニー２０３の軒元側となる建物ユニット２Ｂの柱２１側のウエブ１１ａの側縁に沿って取り付けられる。この受板１２は、短冊状の合板などによって形成されており、接着剤やビスなどによってウエブ１１ａの外壁側の面に接合される。この受板１２は、ウエブ１１ａの上縁からウエブ１１ａの下縁の少し上方の高さまでの鉛直方向の長さになるように成形される。
【００２９】
また、受板１２が取り付けられた側縁とは反対側のウエブ１１ａの側縁には、図１に示すように、受板１２よりも短い長方形の合板などによって成形された下地板１４が取り付けられる。すなわち、受板１２と下地板１４との間には、ウエブ１１ａの幅方向に間隔が置かれる。
【００３０】
そして、受板１２と下地板１４とに跨って帯板１５を取り付ける。この帯板１５には、下地板１４の高さと略同じ短辺とウエブ１１ａの幅と略同じ長辺に成形された長方形の合板が使用できる。なお、下地板１４及び帯板１５の接合は、受板１２と同様に接着剤やビスを使っておこなう。
【００３１】
このようにして受板１２と下地板１４の外壁側の面に帯板１５を取り付けると、ウエブ１１ａの外壁側の面と帯板１５の裏面との間に、鉛直方向に貫通される通気孔１５ａが形成される。
【００３２】
また、下フランジ部１３は、ウエブ１１ａの下端から略直交方向に延出される。この下フランジ部１３の延出方向は、図６に示すように隙間２０１に配置した場合にその内側に向けた方向となる。
【００３３】
さらに、図１に示すように、ウエブ１１ａの外壁側の面の下部であって下フランジ部１３より高い位置に、外壁方向に向けて突出される張出部１７が設けられる。張出部１７は、帯板１５の下方の位置で、それと略平行となる方向に向けて断面Ｌ字形のアングル鋼材を取り付けることによって形成される。
【００３４】
また、フランジ１１ｂの下方の取付片１６ａに取り付けられる防水材１６は、発泡ウレタンなどの圧縮性と防水性とを備えた材料によって成形される。この防水材１６の裏側には、防水処理として図５に示すようにシリコン樹脂などの充填材１６ｂが充填される。
【００３５】
次に、本実施の形態の防水シートの取付金具１を使った防水シートの取付方法について説明する。
【００３６】
まず、図１に示すような取付金具１を予め製作する。また、図２に示すように、間取り調整用の隙間２０１を設けたユニット建物２０を、建物ユニット２Ａ−２Ｃやバルコニー２０３を使って構築する。
【００３７】
そして、図３に示すように、隙間２０１のバルコニー２０３に面した位置に取付金具１を配置する。この取付金具１の下フランジ部１３が配置される下階２０２の上面には、柱２１，２１間に亘って防水材２６が予め取り付けられる。この防水材２６は、取付金具１の防水材１６と同様に、発泡ウレタンなどによって成形されている。
【００３８】
取付金具１は、両側のフランジ１１ｂ，１１ｂを柱２１，２１の隙間２０１側の面に密着させて、フランジ１１ｂのねじ穴１１ｃと柱２１のねじ穴２１ａにドリルねじ１８を捩じ込むことによって固定することができる。
【００３９】
このように接合具としてのドリルねじ１８，・・・を使って、図４に示すように柱２１，２１の下部間に取付金具１を固定すると、取付金具１の両側の防水材１６，１６は、柱２１と取付片１６ａとの間で圧縮されて双方に密着する。また、下階２０２の上面に取り付けられた防水材２６は、下フランジ部１３と下階２０２との間で圧縮されて双方に密着する。
【００４０】
また、図５に示すように、隙間２０１の内側からは、防水材１６の裏側の取付片１６ａと柱２１との離隔にシリコン樹脂などの充填材１６ｂを注入して、防水材１６周辺の防水性能を高める。
【００４１】
一方、取付金具１のバルコニー２０３側、すなわち外壁側では、図６に示すように防水シート２５Ａ−２５Ｃの取り回しをおこなう。まず、建物ユニット２Ａの柱２１と受板１２との間に防水シート２５Ａを貼り付ける。続いて、受板１２側のフランジ１１ｂと柱２１との間に端部が挟持された防水シート２５Ｃと、建物ユニット２Ｃからはみ出された防水シート２５Ｂとを貼り合わせることで、入隅における防水シートの処理をおこなう。防水シート２５Ｂ，２５Ｃを貼り合わせた箇所は、図８に示すように建物ユニット２Ｂの柱２１と建物ユニット２Ｃの柱２１との間に収容する。
【００４２】
このようにして防水シート２５Ａ−２５Ｃを処理した後に、隙間２０１のバルコニー２０３側の面に外壁２４を配置する。図７は、外壁２４を配置した状態の断面図であり、図８は、図７のＡ−Ａ矢視方向で見た断面図である。
【００４３】
バルコニー２０３に面した外壁２４の下縁には、水切２４ａが取り付けられる。また、取付金具１の帯板１５は、図７に示すように、バルコニー２０３の床板の固定にも使用される。
【００４４】
さらに、図７に示すように、張出部１７の下方の下階２０２の上面には、熱膨張材２７が取り付けられている。この熱膨張材２７は、火災などによって加熱されると膨張して間隙を埋める材料である。熱膨張材２７を防火ラインに沿って配置することで、延焼を防ぐ防火構造にすることができる。
【００４５】
しかしながら、熱膨張材２７を自由な方向に膨張可能な状態にしておくと、必要な方向に向けて膨張していかないおそれがある。そこで、張出部１７を設けることで、これより上方に熱膨張材２７が膨張しないように制限し、防火ラインが守られるようにする。
【００４６】
また、図８に示すように、外壁２４の裏側には防水シート２５Ａが配置され、防水シート２５Ａと取付金具１との間には通気孔１５ａが存在している。これによって、防水シート２５Ａの裏側において、上階と下階との間の通気層が形成される。
【００４７】
次に、本実施の形態の防水シートの取付金具１、及びそれを使ったユニット建物２０の防水構造の作用について説明する。
【００４８】
このように構成された本実施の形態の防水シートの取付金具１は、隙間２０１の幅に合わせて形成された本体部１１と、本体部１１のウエブ１１ａの外壁側の面に設けられる防水シートの受板１２と、ウエブ１１ａの下端から延出される下フランジ部１３とを備えている。
【００４９】
このため、受板１２に防水シート２５Ａを密着させることで、容易に防水シート２５Ａを取り付けることができる。そして、隙間２０１に面した柱２１，２１間を連続した防水構造に形成することができる。
【００５０】
また、下フランジ部１３によって下階２０２の上面との間に防水材２６を介在させることができるので、上階と下階２０２との間の防水性能を確保することができる。
【００５１】
さらに、防水シート２５Ａの裏側に通気孔１５ａが形成されるようにして、上階と下階との間で空気の流れが確保されるようにすれば、防水シート２５Ａの裏面側を乾燥状態に保つことができるようになる。
【００５２】
また、防火ラインを形成する熱膨張材２７の上方に張出部１７が配置されるような構成にすれば、火災の熱によって熱膨張材２７が膨張しても、張出部１７によって過度な膨張が制限され、防火ライン位置での防火性能を確保することができる。
【実施例】
【００５３】
以下、前記した実施の形態の防水シートの取付金具１とは別の形態の実施例について、図９−１１を参照しながら説明する。なお、前記実施の形態で説明した内容と同一乃至均等な部分の説明については、同一用語又は同一符号を用いて説明する。
【００５４】
この実施例で説明する防水シートの取付金具３は、図１０に示すように、隙間２０１Ａの幅と略同じ幅のウエブ３１ａとその両側にそれぞれ略直交して形成される２つのフランジ３１ｂ，３１ｂとを有する本体部３１と、本体部３１の一方の側縁に取り付けられる長アングル部３２と、本体部３１の他方の側縁に設けられる接合面としての接合片３４と、ウエブ３１ａの下端から略直交方向に隙間２０１Ａの内側に向けて延出される下フランジ部３３とを主に備えている。
【００５５】
この本体部３１は、溝形鋼材などによって成形される。そして、本体部３１の一方のフランジ３１ｂから上方に延出される長アングル部３２は、本体部３１の外壁側の出隅にアングル鋼材を接合することによって形成される。
【００５６】
この長アングル部３２には、柱２１と接合させる接合面３２１とウエブ３１ａから上方に延出される防水シート受け部３２２とが略直交して形成される。また、接合面３２１には、柱２１との接合具となるドリルねじ３５を挿通させるためのねじ穴３２ａ，・・・が複数、穿孔されている。
【００５７】
さらに、防水シート受け部３２２には、防水シート２５Ｅ及び外壁２４を固定するための接合具となるドリルねじ３６を挿通させるためのねじ穴３２３，・・・が複数、穿孔されている。
【００５８】
また、長アングル部３２を取り付けたフランジ３１ｂとは反対側の他方のフランジ３１ｂの上端からは、上方に向けて接合片３４が延出される。この接合片３４には、柱２１との接合具となるドリルねじ３５を挿通させるためのねじ穴３４ａ，・・・が複数、穿孔されている。
【００５９】
この取付金具３が配置されるユニット建物２０Ａは、図９に示すように、バルコニー２０３Ａの外側に間取り調整用の隙間２０１Ａが形成される。このユニット建物２０Ａの２階は、建物ユニット２Ａ，２Ｂ，２Ｃ，２Ｄが平面視Ｌ字形に配置され、その入隅にバルコニー２０３Ａが設けられる。
【００６０】
このバルコニー２０３Ａは、建物ユニット２Ｄの長辺梁２３から張り出される。そして、バルコニー２０３Ａの短辺側は、建物ユニット２Ｂの短辺梁２２と同じ長さに形成され、全長が短辺梁２２に接することになる。
【００６１】
そして、建物ユニット２Ｂの長辺梁２３と建物ユニット２Ａの長辺梁２３との間に、間取り調整用の隙間２０１Ａが形成される。すなわち、この隙間２０１Ａは、バルコニー２０３Ａの内側に面するものではなく、バルコニー２０３Ａの手摺２０５の外側に配置される。
【００６２】
次に、本実施例の防水シートの取付金具３を使った防水シートの取付方法について説明する。
【００６３】
まず、図１０に示すような取付金具３を予め製作する。また、図９に示すように、間取り調整用の隙間２０１Ａを設けたユニット建物２０Ａを、建物ユニット２Ａ−２Ｄやバルコニー２０３Ａを使って構築する。
【００６４】
そして、図１０に示すように、隙間２０１Ａのバルコニー２０３Ａ側の端部に取付金具３を配置する。この取付金具３の下フランジ部３３が配置される下階２０２Ａの上面には、柱２１，２１間に亘って防水材２６が予め取り付けられる。この防水材２６は、発泡ウレタンなどによって成形されている。
【００６５】
取付金具３は、長アングル部３２の接合面３２１を建物ユニット２Ｂの柱２１の隙間２０１Ａ側の面に密着させるとともに、接合片３４を建物ユニット２Ａの柱２１の隙間２０１Ａ側の面に密着させ、ねじ穴３２ａ，３４ａと柱２１のねじ穴２１ａにドリルねじ３５を捩じ込むことによって固定することができる。
【００６６】
このようにして接合具としてのドリルねじ３５，・・・を使って、図１１に示すように柱２１，２１の下部間に取付金具３を固定すると、下階２０２Ａの上面に取り付けられた防水材２６は、下フランジ部３３と下階２０２Ａとの間で圧縮されて双方に密着することになるため、防水性能が高められる。
【００６７】
取付金具３の外壁側では、取付金具３と柱２１との離隔にシリコン樹脂などの充填材１６ｂを充填し、その外側から防水テープを貼り付ける。そして、図１０，１１に示すように防水シート２５Ｄ−２５Ｆの取り回しをおこなう。すなわち、バルコニー２０３Ａの手摺２０５（支柱）からはみ出された防水シート２５Ｅを、取付金具３の長アングル部３２の防水シート受け部３２２に貼り合わせる。さらに、建物ユニット２Ａの柱２１に、外壁２４からはみ出された防水シート２５Ｆを貼り合わせる。そして、取付金具３１のウエブ３１ａと略同じ長方形状の防水シート２５Ｄを、ウエブ３１ａの外壁側に貼り付ける。この防水シート２５Ｄは、一方の側縁を防水シート２５Ｅに重ね合わせ、他方の側縁を防水シート２５Ｆに重ね合わせる。
【００６８】
また、図１１に示すように、防水シート２５Ｄ−２５Ｆの外側にパネル状の外壁２４を配置し、隙間２０１Ａの内側からドリルねじ３６，・・・を防水シート受け部３２２のねじ穴３２３，・・・に捩じ込んで、防水シート２５Ｅと外壁２４の枠材２４ｂとを長アングル部３２に固定する。
【００６９】
このように構成された本体部３１と長アングル部３２とによって構成される取付金具３であれば、安価に製作することができる。また、これらの取付金具３をバルコニー２０３Ａに隣接する間取り調整用の隙間２０１Ａに取り付け、防水シート２５Ｅを防水シート受け部３２２に接合させ、建物ユニット２Ａとの間を防水シート２５Ｄ，２５Ｆで連続させれば、バルコニー２０３Ａ近傍の隙間２０１Ａの柱２１，２１間を連続した防水構造に形成することができる。
【００７０】
なお、他の構成及び作用効果については、前記実施の形態と略同様であるので説明を省略する。
【００７１】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００７２】
例えば、前記実施の形態及び実施例では、溝形鋼材によって本体部１１，３１を形成したが、これに限定されるものではなく、複数の鋼板を溶接などによって接合したり、一枚の鋼板を折り曲げ加工したりすることで本体部を形成することができる。
【００７３】
また、前記実施の形態及び実施例では、防水シート受け部として受板１２又は長アングル部３２を取り付けたが、これに限定されるものではなく、ウエブ１１ａの表面やウエブ３１ａと一体に成形された延出部を防水シート受け部に利用することもできる。
【００７４】
さらに、前記実施の形態では、アングル鋼材を使って張出部１７を形成したが、これに限定されるものではなく、板材や角材などによって張出部を形成することができる。
【符号の説明】
【００７５】
１              取付金具
１１            本体部
１１ａ          ウエブ
１１ｂ          フランジ
１２            受板（防水シート受け部）
１３            下フランジ部
１４            下地板
１５            帯板
１５ａ          通気孔
１７            張出部
２Ａ，２Ｂ      建物ユニット
２０，２０Ａ    ユニット建物
２０１，２０１Ａ  （間取り調整用の）隙間
２０２，２０２Ａ  下階
２０３，２０３Ａ  バルコニー
２１            柱（柱材）
２２            短辺梁（梁材）
２３            長辺梁（梁材）
２４            外壁
２５Ａ−２５Ｆ  防水シート
３              取付金具
３１            本体部
３１ａ          ウエブ
３１ｂ          フランジ
３２            長アングル部
３２１          （第１の）接合面
３２２          防水シート受け部
３３            下フランジ部
３４            接合片（第２の接合面）
【図１】
0005771470.tif 000002
【図２】
0005771470.tif 000003
【図３】
0005771470.tif 000004
【図４】
0005771470.tif 000005
【図５】
0005771470.tif 000006
【図６】
0005771470.tif 000007
【図７】
0005771470.tif 000008
【図８】
0005771470.tif 000009
【図９】
0005771470.tif 000010
【図１０】
0005771470.tif 000011
【図１１】
0005771470.tif 000012